(57)【要約】【課題】簡単な構成でかつ安価に乗りかごの電気機器に電力を供給することができるエレベータの非接触給電装置を提供する。【解決手段】乗りかご７が昇降するガイドレール１０に交流電源装置１３から交流電流を流す。乗りかご７には交流電流が流れるガイドレール１０と近接し、電磁誘導により起電力を発生する受電装置１８を設ける。この受電装置１８は、乗りかご７をガイドレール１０に沿って移動するように案内するガイドシュー１２に内蔵して設ける。受電装置１８で発生した電力は受電回路２１を通して乗りかご７の各電気機器にその電源として供給する。【選択図】    図１
2007076787.tif 000002
【特許請求の範囲】
【請求項１】
エレベータの乗りかごが昇降する昇降路内に、交流電流を流す給電部材と、前記乗りかごに前記給電部材と近接するように設けられ、電磁誘導により起電力を発生して乗りかごの電気機器に電力を供給する受電装置とを備えるエレベータの非接触給電装置において、
前記乗りかごの昇降を案内するガイドレールを前記給電部材として用いることを特徴とするエレベータの非接触給電装置。
【請求項２】
前記給電部材として、前記乗りかごの昇降を案内する一対のガイドレールが用いられ、その一対のガイドレールのうちの一方がアースに接続されていることを特徴とする請求項１に記載のエレベータの非接触給電装置。
【請求項３】
前記乗りかごは前記ガイドレールと係合して乗りかごと一体に移動する案内装置を備え、前記受電装置が前記案内装置に内蔵されていることを特徴とする請求項１または２に記載のエレベータの非接触給電装置。
【請求項４】
前記乗りかごは前記ガイドレールと係合して乗りかごと一体に移動する案内装置を備え、前記受電装置が前記案内装置と一体的に構成されていることを特徴とする請求項１または２に記載のエレベータの非接触給電装置。
【請求項５】
前記案内装置は、前記ガイドレールと摺動自在に係合するガイドシューであることを特徴とする請求項３または４に記載のエレベータの非接触給電装置。
【請求項６】
前記案内装置は、前記ガイドレールと転接する複数のローラを備えるローラ式の案内装置であることを特徴とする請求項３または４に記載のエレベータの非接触給電装置。
【請求項７】
交流電流が流れる前記ガイドレールは、絶縁材料で被覆されていることを特徴とする請求項１ないし６のいずれかに記載のエレベータの非接触案内装置。
【発明の詳細な説明】
【技術分野】
【０００１】
この発明は、昇降路内で昇降する乗りかごの電気機器に電力を供給するエレベータの非接触給電装置に関する。
【背景技術】
【０００２】
建屋の昇降路内で昇降するエレベータの乗りかごは、照明装置、換気装置、操作盤などの電気機器を備えており、したがってこれら電気機器に所要の電力を供給する必要がある。
【０００３】
従来一般のエレベータにおいては、昇降路の上部に給電部が設けられ、この給電部と乗りかごの底部との間に渡ってテールコードが吊り下げられ、このテールコードを介して乗りかごの電気機器に電力が供給される。
【０００４】
しかしながら、このようなテールコードを用いる手段では、乗りかごの昇降に応じてテールコードの途中が順次屈曲するため寿命が低下し、またテールコードがその揺れで昇降路内の機器類に接触して損傷する恐れがある。
【０００５】
そこで、特開２０００−３５５４７４公報や特開２００２−３３８１５０公報に見られるように、昇降路の上部の給電体から昇降路に沿って給電線を垂直に張設するとともに、乗りかごにその給電線と非接触で近接する受電体を設け、その給電線に交流電流を流し、この給電線と近接する受電体に電磁誘導による起電力を発生させ、その電力を乗りかごの電気機器の電源として用いるようにした給電装置が提案されている。
【特許文献１】特開２０００−３５５４７４公報
【特許文献２】特開２００２−３３８１５０公報
【発明の開示】
【発明が解決しようとする課題】
【０００６】
しかしながら、上述のように、昇降路内に電力供給用の専用の給電線を張設するには、その支持構造等を複雑にしなければならず、施工作業が相当面倒で、またコストも高くなる。特に昇降行程の高い高層建物においては、さらにこの問題が顕著となる。
【０００７】
この発明はこのような点に着目してなされたもので、その目的とするところは、簡単な構成でかつ安価に乗りかごの電気機器に電力を供給することができるエレベータの非接触給電装置を提供することにある。
【課題を解決するための手段】
【０００８】
請求項１の発明は、エレベータの乗りかごが昇降する昇降路内に、交流電流を流す給電部材と、前記乗りかごに前記給電部材と近接するように設けられ、電磁誘導により起電力を発生して乗りかごの電気機器に電力を供給する受電装置とを備えるエレベータの非接触給電装置において、前記乗りかごの昇降を案内するガイドレールを前記給電部材として用いることを特徴としている。
【０００９】
請求項２の発明は、前記給電部材として、前記乗りかごの昇降を案内する一対のガイドレールが用いられ、その一対のガイドレールのうちの一方がアースに接続されていることを特徴としている。
【００１０】
請求項３の発明は、前記乗りかごが前記ガイドレールと係合して乗りかごと一体に移動する案内装置を備え、前記受電装置が前記案内装置に内蔵されていることを特徴としている。
【００１１】
請求項４の発明は、前記乗りかごが前記ガイドレールと係合して乗りかごと一体に移動する案内装置を備え、前記受電装置が前記案内装置と一体的に構成されていることを特徴としている。
【００１２】
請求項５の発明は、前記案内装置が、前記ガイドレールと摺動自在に係合するガイドシューであることを特徴としている。
【００１３】
請求項６の発明は、前記案内装置が、前記ガイドレールと転接する複数のローラを備えるローラ式の案内装置であることを特徴としている。
【００１４】
請求項７の発明は、交流電流が流れる前記ガイドレールが絶縁材料で被覆されていることを特徴としている。
【発明の効果】
【００１５】
この発明によれば、エレベータが備える既存のガイドレールを給電部材として利用するので、簡単な構成でかつ安価に乗りかごの電気機器に電力を供給することができる。
【発明を実施するための最良の形態】
【００１６】
以下、この発明の実施の形態について図面を参照して説明する。
【００１７】
図１にはエレベータの全体の構成を一部誇張して概略的に示してある。建屋の昇降路１の上部には機械室２が設けられ、この機械室２に巻上機４が設置され、この巻上機４にメインロープ５が巻き掛けられている。
【００１８】
昇降路１の内部には乗りかご７および釣合い重り８が設けられている。これら乗りかご７および釣合い重り８は前記メインロープ５を介して昇降路１内に吊り下げられ、前記巻上機４の駆動により互いに逆方向に昇降移動する。
【００１９】
昇降路１内には、左右に平行に並んで上下に延びる一対のガイドレール１０が設けられ、これらガイドレール１０に沿って乗りかご７が昇降移動する。乗りかご７の上部および下部の両側には案内装置としてのガイドシュー１２が設けられている。これらガイドシュー１２は断面コ字状をなし、その内側にガイドレール１０が摺動自在に係合し、これらガイドシュー１２により乗りかご７の移動が案内される。
【００２０】
各ガイドレール１０は鋼鉄などの導電性材料で形成されている。昇降路１の上部の機械室２には交流電源装置１３が設けられ、この交流電源装置１３とガイドレール１０とが配線１４を介して接続され、その交流電源装置１３からガイドレール１０に交流電流が印加され、常時通電される。
【００２１】
一対のガイドレール１０はその下端部において抵抗器１５を備える導線１６で互いに接続され、これにより給電回路が構成されている。各ガイドレール１０は支持部材（図示せず）を介して昇降路１の内壁部に取り付けられているが、その支持部材に対して各ガイドレール１０が電気的に絶縁されている。また、一対のガイドレール１０のうちの一方はアース１７に接続されている。なお、ガイドレール１０をアース１７に接続したときにはガイドレール１０の絶縁を省略することも可能である。
【００２２】
前記ガイドシュー１２は非磁性材料、例えば耐摩耗性、滑動性に優れる硬質の合成樹脂材料で形成され、このガイドシュー１２に受電装置１８が内蔵されている。受電装置１８は鉄心１９と、この鉄心１９に巻回されたコイル２０とからなる。鉄心１９はガイドシュー１２に対応するコ字状をなし、コイル２０と共にガイドシュー１２の内部に組み込まれ、そのガイドシュー１２と係合したガイドレール１０と近接して対向するように配置されている。前記コイル２０は乗りかご７に設けられた受電回路２１に接続されている。
【００２３】
乗りかご７には、その上部および下部の左右側にそれぞれガイドシュー１２が設けられている。本実施形態ではそのうちの１つのガイドシュー１２に受電装置１８が組み込まれている。なお、受電装置１８は、１つのガイドシュー１２に組み込む場合に限らず、２つあるいは３つさらには全部のガイドシュー１２に組み込むように構成されていてもよい
エレベータの運転時には、交流電源装置１３からガイドレール１０に交流電流が常時通電され、この状態で乗りかご７がガイドレール１０に沿って昇降する。乗りかご７のガイドシュー１２に組み込まれた受電装置１８は交流電流が流れるガイドレール１０と近接して対向する状態にある。そして、交流電流が流れることによりガイドレール１０の周囲に磁界が生じ、この磁界により受電装置１８のコイル２０に起電力が発生し、この起電力が受電回路２１により所定の電圧の電力に変換されて乗りかご７内の各電気機器の電源として用いられる。
【００２４】
交流電流が流れるガイドレール１０と受電装置１８のコイル２０は、乗りかご７の昇降移動中であっても停止中であっても常時近接して対向し、したがってコイル２０には常時起電力が発生し、乗りかご７の各電気機器に所要の電力を供給することができる。
【００２５】
このように、本実施形態では、昇降路１内に電力給電用の専用の給電部材を設けるのではなく、その給電部材としてエレベータが備える既存のガイドレール１０を利用するものである。しがって昇降路１内に専用の給電部材を設置する必要がなくなり、施工作業が簡単となり、コストも大幅に軽減することができる。専用の給電部材が不要であるから、特に昇降行程の高い高層建物において、施工作業およびコストの面でより有利となる。
【００２６】
ところで、乗りかご７の移動を案内する案内装置としては摺動式のガイドシュー１２のほかに、ガイドレール１０に転接する複数のローラを備え、その各ローラが回転しながら乗りかご７がガイドレール１０に沿って移動するように案内するローラ式の案内装置が知られている。本発明は、このようなローラ式の案内装置に受電装置１８を内蔵し、あるいは一体的に組み込むような構成であってもよい。
【００２７】
また、交流電流が通電されるガイドレール１０を絶縁材料で被覆することも可能である。この場合には、昇降路１内に作業員が入り込んで各種の保守作業を行なうようなときに、ガイドレール１０に接触して感電する恐れを防止し、安全に作業を行なうことができる。
【００２８】
なお、本発明は、乗りかごの昇降を案内する一対のガイドレールの両方に交流電流を流す構成のほか、そのいずれか一方のガイドレールにのみ交流電流を流すような構成であってもよく、また受電装置は乗りかごの案内装置に組み込む構成のほか、交流電流が流れるガイドレールに対応する乗りかごの適宜な位置に設けるような構成であってもよい。
【図面の簡単な説明】
【００２９】
【図１】この発明の一実施形態に係る非接触給電装置を備えるエレベータの全体の構成を概略的に示す構成図。
【図２】この発明の一実施形態に係るエレベータの受電装置を示す斜視図。
【符号の説明】
【００３０】
１…昇降路
２…機械室
４…巻上機
５…メインロープ
１０…ガイドレール
１２…ガイドシュー
１３…交流電源装置
１７…アース
１８…受電装置
１９…鉄心
２０…コイル
２１…受電回路
【図１】
2007076787.tif 000003
【図２】
2007076787.tif 000004